(57)【特許請求の範囲】
【請求項１】
Ｌ（Ｌは４以上の自然数）本の信号線と、前記Ｌ本の信号線に１つずつ対応するように電気的接続されるＬ個の出力端子を有する信号線駆動回路と、を備え、
前記Ｌ本の信号線は、ｍ（ｍは２以上の自然数）本ずつのＮ（Ｎは２以上の自然数）個のグループに分割され、
前記信号線駆動回路において、（ｍ＋１）（ｍは２以上の自然数）本のビデオ信号線が設けられ、且つ前記Ｎ個のグループ各々に対応して第１のスイッチ及び第２のスイッチが設けられ、
前記Ｎ個のグループのうち第ｋ（ｋは２以上Ｎ以下の自然数）番目のグループにおいて、前記第１のスイッチは前記（ｍ＋１）本のビデオ信号線のうちｍ本のビデオ信号線と前記Ｌ個の出力端子のうちのｍ個の出力端子との電気的接続を選択することによって、前記Ｌ本の信号線のうち前記第ｋ番目のグループに含まれる前記ｍ本の信号線に対して前記ｍ本のビデオ信号線に入力されたビデオ信号を出力し、前記第２のスイッチは前記（ｍ＋１）本のビデオ信号線のうち前記ｍ本のビデオ信号線とは異なる１本のビデオ信号線と前記Ｌ個の出力端子のうちの１個の出力端子との電気的接続を選択することによって、前記Ｌ本の信号線のうち前記第（ｋ−１）番目のグループに含まれるｍ本の信号線であって且つ前記第ｋ番目のグループと隣り合う１本の信号線に対して前記ｍ本のビデオ信号線とは異なる１本のビデオ信号線に入力されたビデオ信号を出力することを特徴とする半導体表示装置。
【請求項２】
請求項１において、
前記Ｌ本の信号線に電気的に接続される複数の画素を有し、
前記複数の画素各々は液晶セルを有することを特徴とする半導体表示装置。
【請求項３】
請求項１において、
前記Ｌ本の信号線に電気的に接続される複数の画素を有し、
前記複数の画素各々は発光素子を有することを特徴とする半導体表示装置。
【請求項４】
請求項１乃至請求項３のいずれか一において、
前記半導体表示装置を用いたことを特徴とする電子機器。
【発明の詳細な説明】
【０００１】
【発明の属する技術分野】
本発明は、複数本の配線をｍ（ｍは２以上の自然数）本づつのグループ毎に選択して信号を入力する半導体装置の駆動方法に関する。特に、複数本の配線をｍ（ｍは２以上の自然数）本づつのグループ毎に選択して信号を入力する、半導体表示装置の駆動方法に関する。さらに、該駆動方法を用いて動作する半導体表示装置に関する。
【０００２】
【従来の技術】
近年、基板上に薄膜トランジスタ（Thin Film Transistor、以下ＴＦＴと記す）を形成する技術が大幅に進歩し、半導体装置の１つであるアクティブマトリクス型表示装置への応用開発が進められている。アクティブマトリクス型の半導体表示装置は、画素毎にスイッチング素子としてのＴＦＴを設け、ビデオ信号を各画素に順次書き込むことにより、画像を表示するものである。
【０００３】
アクティブマトリクス型の半導体表示装置の駆動回路は、主に走査線駆動回路と信号線駆動回路とがある。走査線駆動回路によって画素部に設けられた複数本の走査線が１本づつ、もしくは複数本づつ順に選択され、信号線駆動回路によって該選択された走査線に接続されている画素に、信号線を介して順にビデオ信号が入力される。
【０００４】
走査線駆動回路と信号線駆動回路には高速動作が要求される。特に信号線駆動回路は、１ライン分の走査線が選択されている期間内に、該走査線に接続されている画素全てに順にビデオ信号を入力するため、走査線駆動回路よりも高速で動作する必要がある。例えばＶＧＡのアクティブマトリクス型半導体表示装置の場合、信号線駆動回路の駆動周波数は一般的に約２５ＭＨｚ程度である。
【０００５】
より高精細、高解像度、多階調の画像を表示するために、アクティブマトリクス型半導体表示装置の走査線方向の画素数（水平画素数：Ｈｎ）が増える傾向にある。水平画素数Ｈｎが増加すると、信号線駆動回路をより高速で動作させることが要求される。しかし信号線駆動回路の駆動周波数を高くしすぎると、信号線駆動回路が有するＴＦＴの応答速度が駆動周波数に対応しきれなくなる可能性があった。
【０００６】
そこで、水平画素数Ｈｎの増加に伴い、信号線駆動回路の駆動周波数が高まるのを抑えるために、様々な駆動方法が提案されている。その１つとして、走査線方向に並んでいる画素をｍ個（ｍは２より大きい正数であり、一般的には自然数）づつのグループに分割し、１ライン期間中に、同時に各グループの画素にビデオ信号を入力する分割駆動法がある。本明細書において１ライン期間とは、水平方向に並んでいる１ラインの画素のうち、最初の画素にビデオ信号が入力されてから、次の１ラインの最初の画素にビデオ信号が入力される直前までの期間を意味する。
【０００７】
ｍ分割での分割駆動法では、通常の駆動法に比べて、１ライン期間の長さが同じ場合、１画素あたりビデオ信号の入力される時間がｍ倍になる。そのため信号線駆動回路の駆動周波数を通常の１／ｍ程度に落とすことが可能になる。
【０００８】
【発明が解決しようとする課題】
ところで、画素部には各画素に対応した複数の信号線が設けられており、ビデオ信号は、各信号線を介して信号線駆動回路から各画素に入力される。そして信号線駆動回路では、外部から入力されたビデオ信号を、所定のタイミングに従ってサンプリングし、ビデオ信号として各信号線に入力している。
【０００９】
上述した分割駆動法の場合、外部から入力されたシリアル形式のビデオ信号をサンプリングし、ｍ本の信号線に同時に入力する。図１０に、信号線駆動回路のビデオ信号をサンプリングする部分の構成を、ｍ＝４の場合を例にして簡単に示す。図１０において３００１は信号線駆動回路であり、分割数ｍと同じ数のビデオ信号線Ｖ１〜Ｖｍ（図１０ではＶ１〜Ｖ４）を介して、ビデオ信号が信号線駆動回路３００１に供給されている。
【００１０】
画素部３００３は各画素に対応する信号線Ｓ１、Ｓ２、…が設けられている。図１０ではＳ１〜Ｓ１２の１２本の信号線を示しているが、信号線の数はパネルの規格によって異なる。各スイッチ３００４は、各信号線と各ビデオ信号線の接続を制御しており、隣り合うｍ本（図１０では４本）の各信号線が、スイッチ３００４を介して互いに異なるビデオ信号線に接続されている。
【００１１】
具体的に図１０では、信号線Ｓ１、Ｓ５、Ｓ９がスイッチ３００４を介してビデオ信号線Ｖ１に接続されており、信号線Ｓ２、Ｓ６、Ｓ１０がスイッチ３００４を介してビデオ信号線Ｖ２に接続されており、信号線Ｓ３、Ｓ７、Ｓ１１がスイッチ３００４を介してビデオ信号線Ｖ３に接続されており、信号線Ｓ４、Ｓ８、Ｓ１２がスイッチ３００４を介してビデオ信号線Ｖ４に接続されている。
【００１２】
そして、各スイッチ３００４のオンオフは、信号線駆動回路３００１において生成されたタイミング信号によって決まる。タイミング信号に同期してスイッチ３００４がｍ個ずつオンになることで、信号線ｍ本ずつにビデオ信号がサンプリングされて入力される。
【００１３】
例えば図１０の場合、図１１に示すように、信号線Ｓ１〜Ｓ４に同時にビデオ信号が入力された後、次に信号線Ｓ５〜Ｓ８、そのまた次に信号線Ｓ９〜Ｓ１２と、順に４本ずつビデオ信号が入力されていく。なお、図１１では、○がついている信号線にビデオ信号が入力されることを意味している。
【００１４】
図１２（Ａ）に、図１０の場合において、各信号線に入力されるビデオ信号のタイミングチャートを示す。なお図１２（Ａ）では説明を分かり易くするために、ビデオ信号の有する画像情報が全て同じであると仮定する。ｍ本（図１２（Ａ）では４本）の隣り合う信号線Ｓ１〜Ｓｍ（図１２（Ａ）ではＳ１〜Ｓ４）の電圧は、ビデオ信号の入力によって変化する。そして次に一定の期間を隔てて、信号線Ｓ（ｍ＋１）〜Ｓ２ｍ（図１２（Ａ）ではＳ５〜Ｓ８）の電圧がビデオ信号の入力によって変化する。このとき、信号線Ｓ１〜Ｓｍにつながるスイッチ３００４はオフになるので、信号線Ｓ１〜Ｓｍの電圧は保持される。なお、本明細書において電圧とは、特に記載のない限りグラウンドとの電位差を意味する。
【００１５】
このとき、隣り合う信号線のうち、ビデオ信号の入力のタイミングが異なっている信号線Ｓ４とＳ５の、電圧の変化に着目する。図１２（Ｂ）に信号線Ｓ４とＳ５のタイミングチャートの拡大図を示す。図１２（Ｂ）に示すように、信号線Ｓ４の電圧はＳ４へのビデオ信号の入力と同時に変化しており、その後ほぼ一定に保たれる。しかし、信号線Ｓ５の電圧がビデオ信号の入力により変化した時点で、破線３０１０で示すように、信号線Ｓ４の電圧は信号線Ｓ５の電圧につられて多少変化する。これは、隣り合う信号線どうしが容量結合しているためである。
【００１６】
容量結合による電圧の変化は、ビデオ信号の入力のタイミングが異なる信号線と隣り合っている信号線であって、なおかつ先にビデオ信号が入力される全ての信号線において生じる現象である。図１０の場合では、信号線Ｓ４、Ｓ８において、隣りの信号線Ｓ５、Ｓ９の電圧の変化に引きずられて多少変化する。しかし、次にビデオ信号が入力される信号線とは隣り合っていない信号線は、電圧が変化しないので、ｍ本毎に電圧が変化する信号線が出現することになる。
【００１７】
よってｍ分割の分割駆動法を用いると、信号線ｍ本毎に生じる電圧差が画素部においてに明暗として表示され、観察者に縦縞（分割縞）として視認されてしまう。
【００１８】
上述したことに鑑み、複数本の配線をｍ（ｍは２以上の自然数）本づつのグループ毎に選択して信号を入力する際に、隣り合う信号線の電圧の変化を防ぐことができる回路及び該回路の駆動方法の提供を課題とする。特に、分割駆動を行う際に、観察者に縦縞が視認されにくい、高精細、高解像度、多階調の画像の表示が可能な、アクティブマトリクス型半導体表示装置及びその駆動方法の提供を課題とする。
【００１９】
【課題を解決するための手段】
本発明では上述した課題を解決するために、ｍ本毎に配線への信号の入力を行う際に、次に信号が入力される配線Ａと隣り合っている配線Ｂに、配線Ａと同じタイミングで再び信号を入力することで、配線Ａと配線Ｂの容量結合による電圧の変化を防ぐ。
【００２０】
半導体表示装置のｍ分割の分割駆動法を例に挙げて、具体的に説明する。本発明において、Ｓ１〜Ｓ１２の信号線に信号を入力する場合の、信号の入力順を図１に示す。図１では図１ではｍ＝４の場合を例示するが、ｍは２以上の自然数であれば良い。
【００２１】
本発明では、図１に示すように、信号線Ｓ１〜Ｓ４に同時にビデオ信号が入力された後、次に信号が入力される信号線Ｓ５と隣り合っている信号線Ｓ４と、信号線Ｓ５〜Ｓ８に同時にビデオ信号を入力する。つまり、信号線Ｓ４には、２回ビデオ信号が入力される。
【００２２】
なお、信号線Ｓ４に再び入力されるビデオ信号は、先に入力されたビデオ信号と同じ高さの電圧を有している。そのため、信号線Ｓ５の電圧が変化しても、信号線Ｓ４の電圧は固定されており、信号線Ｓ５との容量結合により電圧が変化しない。
【００２３】
また、信号線Ｓ４に再びビデオ信号が入力される直前と、入力された直後では、信号線Ｓ４の電圧は変化せずに固定されたままなので、信号線Ｓ４と隣り合っている信号線Ｓ３の電圧も変化はしない。
【００２４】
同様に、次に信号が入力される信号線Ｓ９と隣り合っている信号線Ｓ８と、信号線Ｓ９〜Ｓ１２に同時にビデオ信号を入力する。なお、図１では、○がついている信号線にビデオ信号が入力されることを意味している。信号線Ｓ４と同様に、信号線Ｓ８にも２回ビデオ信号が入力される。
【００２５】
このように、次に信号が入力される配線と隣り合っている配線に、次に信号が入力されるタイミングに合わせて再び信号を入力することで、容量結合による電圧の変化を防ぐことができる。よって、半導体表示装置の分割駆動を行う際に、観察者に分割縞を視認されにくくすることができる。
【００２６】
【発明の実施の形態】
本発明において、ｍ分割で分割駆動する半導体表示装置において、信号線駆動回路に供給されたビデオ信号をサンプリングする部分の構成を図２に示す。図２ではｍ＝４の場合を例に挙げて示すが、本発明において分割数はこれに限定されない。ｍは２以上の自然数で、なおかつ信号線の数よりも少なければ良い。
【００２７】
図２において４００１は信号線駆動回路であり、分割数ｍよりも１つ多い数のビデオ信号線Ｖ１〜Ｖｍ、Ｖｍ’（図１ではＶ１〜Ｖ４、Ｖ４’）を介して、ビデオ信号が信号線駆動回路４００１に供給されている。
【００２８】
画素部４００３は各画素に対応する信号線Ｓ１、Ｓ２、…が設けられている。図１ではＳ１〜Ｓ１２の１２本の信号線を示しているが、信号線の数はパネルの規格によって異なる。各スイッチＳＷ１〜ＳＷ１２、ＳＷ４’、ＳＷ８’は、各信号線と各ビデオ信号線の接続を制御している。
【００２９】
隣り合うｍ本（図１では４本）の各信号線は、スイッチＳＷ１〜ＳＷ１２、ＳＷ４’、ＳＷ８’を介して互いに異なるビデオ信号線に接続されている。特に本発明では、次に信号が入力される信号線に隣り合っている信号線が、それぞれスイッチを介して２つのビデオ信号に接続されている。
【００３０】
具体的に図１０では、信号線Ｓ１、Ｓ５、Ｓ９がスイッチＳＷ１、ＳＷ５、ＳＷ９を介してビデオ信号線Ｖ１に、信号線Ｓ２、Ｓ６、Ｓ１０がスイッチＳＷ２、ＳＷ６、ＳＷ１０を介してビデオ信号線Ｖ２に、信号線Ｓ３、Ｓ７、Ｓ１１がスイッチＳＷ３、ＳＷ７、ＳＷ１１を介してビデオ信号線Ｖ３に、信号線Ｓ４、Ｓ８、Ｓ１２がスイッチＳＷ４、ＳＷ８、ＳＷ１２を介してビデオ信号線Ｖ４に接続されている。さらに、次に信号が入力される信号線に隣り合っている信号線Ｓ４、Ｓ８は、別途スイッチＳＷ４’、ＳＷ８’を介して、ビデオ信号線Ｖ４’に接続されている。
【００３１】
そして、各スイッチＳＷ１〜ＳＷ１２、ＳＷ４’、ＳＷ８’のオンオフは、信号線駆動回路４００１において生成されたタイミング信号によって決まる。
【００３２】
次に、各スイッチの動作及び各信号線へのビデオ信号の入力のタイミングについて説明する。本発明では、タイミング信号に同期して、最初にスイッチがｍ個（図２では４個）オンになり、信号線ｍ本にビデオ信号がサンプリングされ入力された後、次からはスイッチが（ｍ＋１）個（図２では５個）ずつオンになり、信号線（ｍ＋１）本ずつ順にビデオ信号がサンプリングされ入力される。
【００３３】
各スイッチの動作及び各信号線へのビデオ信号の入力のタイミングをより詳細に説明するために、図２の場合を例に挙げ、ビデオ信号線Ｖ１〜Ｖ４、Ｖ４’に入力されるビデオ信号と、信号線Ｓ１〜Ｓ１２にサンプリングされるビデオ信号と、スイッチＳＷ１〜ＳＷ１２、ＳＷ４’、ＳＷ８’の動作の関係を、図３に示す。
【００３４】
図３に示すように、まずスイッチＳＷ１〜ＳＷ４がオンになることで、ビデオ信号線Ｖ１〜Ｖ４にそれぞれ供給されているビデオ信号Ｄ１〜Ｄ４が、対応する信号線Ｓ１〜Ｓ４に入力される。
【００３５】
次に、スイッチＳＷ１〜ＳＷ４がオフになり、代わってスイッチＳＷ４’、ＳＷ５〜ＳＷ８がオンになる。このときビデオ信号線Ｖ４’には、スイッチＳＷ１〜ＳＷ４がオンのときにビデオ信号線Ｖ４に供給されていたのと同じ画像情報を有するビデオ信号Ｄ４が供給されている。よって、スイッチＳＷ４’がオンになることで、ビデオ信号線Ｖ４’に供給されているビデオ信号Ｄ４が、再び信号線Ｓ４に入力される。またスイッチＳＷ５〜ＳＷ８がオンになることで、ビデオ信号線Ｖ５〜Ｖ８にそれぞれ供給されているビデオ信号Ｄ５〜Ｄ８が、対応する信号線Ｓ５〜Ｓ８に入力される。
【００３６】
次に、スイッチＳＷ４’、ＳＷ５〜ＳＷ８がオフになり、代わってスイッチＳＷ８’、ＳＷ９〜ＳＷ１２がオンになる。このときビデオ信号線Ｖ８’には、スイッチＳＷ５〜ＳＷ８がオンのときにビデオ信号線Ｖ４に供給されていたのと同じ画像情報を有するビデオ信号Ｄ８が、供給されている。よって、スイッチＳＷ８’がオンになることで、ビデオ信号線Ｖ４’に供給されているビデオ信号Ｄ８が、再び信号線Ｓ８に入力される。またスイッチＳＷ９〜ＳＷ１２がオンになることで、ビデオ信号線Ｖ１〜Ｖ４にそれぞれ供給されているビデオ信号Ｄ９〜Ｄ１２が、対応する信号線Ｓ９〜Ｓ１２に入力される。
【００３７】
図４（Ａ）に、図２の場合において、各信号線に入力されるビデオ信号のタイミングチャートを示す。なお図４（Ａ）では説明を分かり易くするために、ビデオ信号の有する画像情報が全て同じであると仮定する。ｍ本（図４（Ａ）では４本）の隣り合う信号線Ｓ１〜Ｓｍ（図４（Ａ）ではＳ１〜Ｓ４）の電圧は、ビデオ信号の入力によって変化する。そして次に一定の期間を隔てて、信号線Ｓ（ｍ＋１）〜Ｓ２ｍ（図４（Ａ）ではＳ５〜Ｓ８）の電圧がビデオ信号の入力によって変化する。なお、本明細書において電圧とは、特に記載のない限りグラウンドとの電位差を意味する。
【００３８】
本発明では、次にビデオ信号が入力される信号線と隣り合っている信号線Ｓ４、Ｓ８に、次にビデオ信号が入力されるのと同時に、再びビデオ信号を入力している。隣り合う信号線のうち、ビデオ信号の入力のタイミングが異なっている信号線Ｓ４とＳ５のタイミングチャートの拡大図を、図４（Ｂ）に示す。図４（Ｂ）に示すように、信号線Ｓ４の電圧はＳ４へのビデオ信号の入力と同時に変化しており、その後ほぼ一定に保たれる。そして、信号線Ｓ５の電圧がビデオ信号の入力により変化しても、破線４０１０で示すように、信号線Ｓ４の電圧は殆ど変化せず固定される。
【００３９】
これは信号線Ｓ９の場合も同様であり、信号線Ｓ９の電圧が変化しても、信号線Ｓ９の電圧は変化せず固定される。
【００４０】
このように本発明では、次に信号が入力される配線と隣り合っている配線に、次に信号が入力されるタイミングに合わせて再び信号を入力することで、容量結合による電圧の変化を防ぐことができる。よって、半導体表示装置の分割駆動を行う際に、観察者に分割縞を視認されにくくすることができる。
【００４１】
なお本実施の形態では、本発明を半導体表示装置の分割駆動に用いた場合について説明したが、本発明はこれに限定されない。本発明は、複数本の配線をｍ（ｍは２以上の自然数）本づつのグループ毎に選択して信号を入力する回路であれば良く、隣り合う配線との容量結合による電圧の変化を防ぐことができる。
【００４２】
【実施例】
以下に、本発明の実施例について説明する。
【００４３】
（実施例１）
本実施例では、本発明の半導体表示装置において、信号線駆動回路に供給されたビデオ信号をサンプリングする回路（サンプリング回路と呼ぶ）の、具体的な構成について説明する。
【００４４】
図５に本実施例のサンプリング回路の回路図を示す。本実施例のサンプリング回路２００には、サンプリングのタイミング、言い換えると各スイッチの動作のタイミング、を決定するタイミング信号が供給されている。本実施例では、信号線駆動回路が有するサンプリング回路２００の上段の回路から供給されたタイミング信号が、インバータ２０１、２０２で波形整形されて、スイッチの１つであるトランスミッションゲートＳＷ１、ＳＷ２、…に入力される。なおトランスミッションゲートＳＷ１、ＳＷ２、…には、タイミング信号と、インバータ２０１により該タイミング信号の極性が反転した信号とが共に入力されている。
【００４５】
またサンプリング回路２００にはビデオ信号が接続されている。本実施例では４分割駆動の場合を例示しているが、本発明の分割数はこれに限定されない。４分割駆動の場合、１つ数が多い５本のビデオ信号線Ｖ１〜Ｖ４、Ｖ４’が接続されている。
【００４６】
そしてトランスミッションゲートＳＷ１、ＳＷ２、…は、ビデオ信号線Ｖ１〜Ｖ４に供給されるビデオ信号の、各信号線Ｓ１、Ｓ２…への供給を制御することができる。また、トランスミッションゲートＳＷ４’、ＳＷ８’、…は、ビデオ信号線Ｖ４’に供給されるビデオ信号の、信号線Ｓ４、Ｓ８、…への供給を制御することができる。
【００４７】
また、そしてトランスミッションゲートＳＷｍ’は、トランスミッションゲートＳＷ（ｍ＋１）〜ＳＷ（ｍ＋３）と同じタイミング信号が入力されており、同じタイミングでスイッチングする。
【００４８】
図５で用いたトランスミッションゲートの構成について、図６を用いて説明する。図６（Ａ）にトランスミッションゲートの論理記号を示す。ノードＳにタイミング信号が入力され、ノードＳｂに極性が反転したタイミング信号が入力される。またノードＡにビデオ信号が入力され、タイミング信号に同期してノードＢからサンプリングされたビデオ信号が出力される。
【００４９】
図６（Ｂ）に、図６（Ａ）に示した論理記号の等価回路図を示す。図６（Ｂ）に示すトランスミッションゲートは、ｐチャネル型ＴＦＴとｎチャネル型ＴＦＴを有し、ソースとドレインが互いに接続されている。そしてｎチャネル型ＴＦＴのゲートにタイミング信号が入力され、ｐチャネル型ＴＦＴのゲートに極性が反転したタイミング信号が入力される。
【００５０】
なお、本実施例ではスイッチとしてトランスミッションゲートを用いているが、本発明はこの構成に限定されない。ビデオ信号の各信号線への供給を制御することができるスイッチ素子であれば良い。
【００５１】
また、本実施例で示したサンプリング回路の回路図は、ほんの一実施例に過ぎない。本発明では、次に信号が入力される配線と隣り合っている配線に、次に信号が入力されるタイミングに合わせて再び信号を入力することができれば良い。
【００５２】
（実施例２）
本実施例では、本発明の半導体表示装置の１つである、アクティブマトリクス型の液晶表示装置の構成について説明する。
【００５３】
図７に、本発明の液晶表示装置のブロック図を示す。
【００５４】
１１５は信号線駆動回路、１１６は走査線駆動回路、１２０は画素部である。本実施例では信号線駆動回路と走査線駆動回路とを１つづつ設けたが、本発明はこの構成に限定されない。信号線駆動回路を２つ以上設けても良いし、走査線駆動回路を２つ以上設けても良い。
【００５５】
信号線駆動回路１１５は、シフトレジスト回路１１５＿１、レベルシフト回路１１５＿２、サンプリング回路１１５＿３を有している。なおレベルシフト回路は必要に応じて用いればよく、必ずしも用いなくとも良い。また本実施例においてレベルシフト回路１１５＿２はシフトレジスト回路１１５＿１とサンプリング回路１１５＿３との間に設ける構成としたが、本発明はこの構成に限定されない。シフトレジスト回路１１５＿１の中にレベルシフト回路１１５＿２が組み込まれている構成にしても良い。
【００５６】
クロック信号（ＣＬＫ）、スタートパルス信号（ＳＰ）がシフトレジスト回路１１５＿１に供給されると、シフトレジスト回路１１５＿１ではビデオ信号をサンプリングするタイミングを制御するための、タイミング信号を生成する。
【００５７】
生成されたタイミング信号は、レベルシフト回路１１５＿２においてその電圧の振幅が増幅されてる。
【００５８】
レベルシフト回路１１５＿２において増幅されたタイミング信号は、サンプリング回路１１５＿３に入力される。そしてサンプリング回路１１５＿３に入力されたビデオ信号は、サンプリング回路１１５＿３に入力されたタイミング信号に同期してサンプリングされ、信号線１１７に入力される。
【００５９】
本発明では、複数本の信号線をｍ（ｍは２以上の自然数）本づつのグループ毎に選択してサンプリングされたビデオ信号を入力しており、なおかつ次にビデオ信号が入力される信号線と隣り合わせの信号線には、次のビデオ信号が入力されるのと同じタイミングで再びサンプリングされたビデオ信号が入力される。
【００６０】
画素部１２０では、信号線駆動回路１１５からサンプリングされたビデオ信号が入力される信号線１１７と、走査線駆動回路１１６から選択信号が入力される走査線１１８とが交差している。その信号線１１７と走査線１１８とに囲まれた領域に、画素１１９の薄膜トランジスタ（画素ＴＦＴ）１２１と、対向電極と画素電極の間に液晶を挟んだ液晶セル１２２と、保持容量１２３とが設けられている。
【００６１】
画素ＴＦＴ１２１は、走査線駆動回路１１６から走査線１１８に入力される選択信号により駆動する。信号線１１７にそれぞれ入力されたビデオ信号は、画素ＴＦＴ１２１により選択され、画素電極に入力される。
【００６２】
なお本発明は、本実施例で示す液晶表示装置に限定されない。なお、液晶表示装置は、一定の規格のビデオ信号を液晶表示装置の駆動回路の規格に変換するためのコントローラ、メモリ等を含んでいても良いし、含まなくとも良い。
【００６３】
また、本実施例は、実施例１と自由に組み合わせて実施することが可能である。
【００６４】
（実施例３）
本実施例では、本発明の半導体表示装置の１つである、アクティブマトリクス型の発光装置の構成について説明する。
【００６５】
アクティブマトリクス型の発光装置は、各画素に発光素子が設けられている。発光素子は自ら発光するため視認性が高く、液晶表示装置で必要なバックライトが要らず薄型化に最適であると共に、視野角にも制限が無い。本実施例では、発光素子の１つである有機発光素子（ＯＬＥＤ：Organic Light Emitting Diode）を用いた発光装置について説明するが、本発明は他の発光素子を用いた発光装置であっても良い。
【００６６】
ＯＬＥＤは、電場を加えることで発生するルミネッセンス（Electroluminescence）が得られる材料を含む層（以下、電界発光層と記す）と、陽極層と、陰極層とを有している。エレクトロルミネッセンスには、一重項励起状態から基底状態に戻る際の発光（蛍光）と三重項励起状態から基底状態に戻る際の発光（リン光）とがあるが、本発明の発光装置は、上述した発光のうちの、いずれか一方の発光を用いていても良いし、または両方の発光を用いていても良い。
【００６７】
本実施例の発光装置の画素部３０１の拡大図を図８（Ａ）に示す。信号線（Ｓ１〜Ｓｘ）、電源線（Ｖ１〜Ｖｘ）、走査線（Ｇ１〜Ｇｙ）が画素部３０１に設けられている。
【００６８】
本実例の場合、信号線（Ｓ１〜Ｓｘ）と、電源線（Ｖ１〜Ｖｘ）と、走査線（Ｇ１〜Ｇｙ）とを１つずつ備えた領域が画素３０４である。画素部３０１にはマトリクス状に複数の画素３０４が配置されている。
【００６９】
画素３０４の拡大図を図８（Ｂ）に示す。図８（Ｂ）において、３０５はスイッチング用ＴＦＴである。スイッチング用ＴＦＴ３０５のゲート電極は、走査線Ｇｊ（ｊ＝１〜ｙ）に接続されている。スイッチング用ＴＦＴ３０５のソース領域とドレイン領域は、一方が信号線Ｓｉ（ｉ＝１〜ｘ）に、もう一方が駆動用ＴＦＴ３０６のゲート電極、各画素が有する保持容量３０８にそれぞれ接続されている。
【００７０】
保持容量３０８はスイッチング用ＴＦＴ３０５が非選択状態（オフ状態）にある時、駆動用ＴＦＴ３０６のゲート電圧（ゲート電極とソース領域間の電位差）を保持するために設けられている。なお本実施例では保持容量３０８を設ける構成を示したが、本発明はこの構成に限定されず、保持容量３０８を設けなくても良い。
【００７１】
また、駆動用ＴＦＴ３０６のソース領域とドレイン領域は、一方が電源線Ｖｉ（ｉ＝１〜ｘ）に接続され、もう一方は発光素子３０７に接続される。電源線Ｖｉは保持容量３０８にも接続されている。
【００７２】
発光素子３０７は陽極と陰極と、陽極と陰極との間に設けられた電界発光層とからなる。陽極が駆動用ＴＦＴ３０６のソース領域またはドレイン領域と接続している場合、陽極が画素電極、陰極が対向電極となる。逆に陰極が駆動用ＴＦＴ３０６のソース領域またはドレイン領域と接続している場合、陰極が画素電極、陽極が対向電極となる。
【００７３】
発光素子３０７の対向電極と、電源線Ｖｉには、それぞれ所定の電圧が与えられている。
【００７４】
スイッチング用ＴＦＴ３０５、駆動用ＴＦＴ３０６は、ｎチャネル型ＴＦＴでもｐチャネル型ＴＦＴでもどちらでも用いることができる。ただし駆動用ＴＦＴ３０６のソース領域またはドレイン領域が発光素子３０７の陽極と接続されている場合、駆動用ＴＦＴ３０６はｐチャネル型ＴＦＴであることが望ましい。また、駆動用ＴＦＴ３０６のソース領域またはドレイン領域が発光素子３０７の陰極と接続されている場合、駆動用ＴＦＴ３０６はｎチャネル型ＴＦＴであることが望ましい。
【００７５】
またスイッチング用ＴＦＴ３０５、駆動用ＴＦＴ３０６は、シングルゲート構造ではなく、ダブルゲート構造、やトリプルゲート構造などのマルチゲート構造を有していても良い。
【００７６】
なお、発光装置は、一定の規格のビデオ信号を発光装置の駆動回路の規格に合わせて変換するためのコントローラ、メモリ等を含んでいても良いし、含まなくとも良い。
【００７７】
また、本実施例は、実施例１と自由に組み合わせて実施することが可能である。
【００７８】
（実施例４）
本発明を用いた電子機器として、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機または電子書籍等）、記録媒体を備えた画像再生装置（具体的にはDigital Versatile Disc（ＤＶＤ）等の記録媒体を再生し、その画像を表示しうるディスプレイを備えた装置）などが挙げられる。それら電子機器の具体例を図９に示す。
【００７９】
図９（Ａ）は表示装置であり、筐体２００１、支持台２００２、表示部２００３、スピーカー部２００４、ビデオ入力端子２００５等を含む。本発明の半導体回路や半導体表示装置を、表示部２００３やその他の信号処理回路に用いることで、本発明の表示装置が完成する。なお、表示装置は、パソコン用、ＴＶ放送受信用、広告表示用などの全ての情報表示用表示装置が含まれる。
【００８０】
図９（Ｂ）はデジタルスチルカメラであり、本体２１０１、表示部２１０２、受像部２１０３、操作キー２１０４、外部接続ポート２１０５、シャッター２１０６等を含む。本発明の半導体回路や半導体表示装置を、表示部２１０２やその他の信号処理回路に用いることで、本発明のデジタルスチルカメラが完成する。
【００８１】
図９（Ｃ）はノート型パーソナルコンピュータであり、本体２２０１、筐体２２０２、表示部２２０３、キーボード２２０４、外部接続ポート２２０５、ポインティングマウス２２０６等を含む。本発明の半導体回路や半導体表示装置を、表示部２２０３やその他の信号処理回路に用いることで、本発明のノート型パーソナルコンピュータが完成する。
【００８２】
図９（Ｄ）はモバイルコンピュータであり、本体２３０１、表示部２３０２、スイッチ２３０３、操作キー２３０４、赤外線ポート２３０５等を含む。本発明の半導体回路や半導体表示装置を、表示部２３０２やその他の信号処理回路に用いることで、本発明のモバイルコンピュータが完成する。
【００８３】
図９（Ｅ）は記録媒体を備えた携帯型の画像再生装置（具体的にはＤＶＤ再生装置）であり、本体２４０１、筐体２４０２、表示部Ａ２４０３、表示部Ｂ２４０４、記録媒体（ＤＶＤ等）読み込み部２４０５、操作キー２４０６、スピーカー部２４０７等を含む。表示部Ａ２４０３は主として画像情報を表示し、表示部Ｂ２４０４は主として文字情報を表示する。なお、記録媒体を備えた画像再生装置には家庭用ゲーム機器なども含まれる。本発明の半導体回路や半導体表示装置を、表示部Ａ２４０３、Ｂ、２４０４やその他の信号処理回路に用いることで、本発明の画像再生装置が完成する。
【００８４】
図９（Ｆ）はゴーグル型ディスプレイ（ヘッドマウントディスプレイ）であり、本体２５０１、表示部２５０２、アーム部２５０３を含む。本発明の半導体回路や半導体表示装置を、表示部２５０２やその他の信号処理回路に用いることで、本発明のゴーグル型ディスプレイが完成する。
【００８５】
図９（Ｇ）はビデオカメラであり、本体２６０１、表示部２６０２、筐体２６０３、外部接続ポート２６０４、リモコン受信部２６０５、受像部２６０６、バッテリー２６０７、音声入力部２６０８、操作キー２６０９等を含む。本発明の半導体回路や半導体表示装置を、表示部２６０２やその他の信号処理回路に用いることで、本発明のビデオカメラが完成する。
【００８６】
ここで図９（Ｈ）は携帯電話であり、本体２７０１、筐体２７０２、表示部２７０３、音声入力部２７０４、音声出力部２７０５、操作キー２７０６、外部接続ポート２７０７、アンテナ２７０８等を含む。なお、表示部２７０３は黒色の背景に白色の文字を表示することで携帯電話の消費電流を抑えることができる。本発明の半導体回路や半導体表示装置を、表示部２７０３やその他の信号処理回路に用いることで、本発明の携帯電話が完成する。
【００８７】
以上の様に、本発明の適用範囲は極めて広く、あらゆる分野の電子機器に用いることが可能である。また、本実施例は実施例１〜３に示したいずれの構成とも組み合わせて実施することが可能である。
【００８８】
【発明の効果】
本発明では、ｍ本毎に配線への信号の入力を行う際に、次に信号が入力される配線Ａと隣り合っている配線Ｂに、配線Ａと同じタイミングで再び信号を入力することで、配線Ａと配線Ｂの容量結合による電圧の変化を防ぐ。上記構成により、容量結合による電圧の変化を防ぐことができる。よって、半導体表示装置の分割駆動を行う際に、観察者に分割縞を視認されにくくすることができる。
【図面の簡単な説明】
【図１】    本発明において、各信号線にビデオ信号が入力される順序を示す図。
【図２】    各信号線を選択するスイッチの配置を示す図。
【図３】    各スイッチのタイミングチャート及び信号線とビデオ信号線の信号の流れを示す図。
【図４】    信号線のタイミングチャート。
【図５】    本発明におけるサンプリング回路の回路図。
【図６】    トランスミッションゲートの論理記号及び等価回路図。
【図７】    液晶表示装置の構造を示すブロック図。
【図８】    発光装置の画素部回路図及び画素回路図。
【図９】    本発明の電子機器。
【図１０】  従来のサンプリング回路のスイッチの配置を示す図。
【図１１】  従来において、各信号線にビデオ信号が入力される順序を示す図。
【図１２】  従来における、信号線のタイミングチャート。
【図１】
0004188000.tif 000002
【図２】
0004188000.tif 000003
【図３】
0004188000.tif 000004
【図４】
0004188000.tif 000005
【図５】
0004188000.tif 000006
【図６】
0004188000.tif 000007
【図７】
0004188000.tif 000008
【図８】
0004188000.tif 000009
【図９】
0004188000.tif 000010
【図１０】
0004188000.tif 000011
【図１１】
0004188000.tif 000012
【図１２】
0004188000.tif 000013